【手続補正書】
【提出日】平成21年1月16日(2009.1.16)
【手続補正１】
【補正対象書類名】特許請求の範囲
【補正対象項目名】全文
【補正方法】変更
【補正の内容】
【特許請求の範囲】
【請求項１】
ケーブル分配ネットワーク上の送信のための高速データトラフィックを含む第１のトラフィックデータを受信することができる高速ＤＯＣＳＩＳに基づくコンポーネントへの第１のトラフィックインターフェイスと；
高速データトラフィックに関連する第１のバンド幅インジケータを受信することができるシグナリングインターフェイスと；
ケーブル分配ネットワーク上の送信のためのスイッチデジタルブロードキャストトラフィックを含む第２のトラフィックデータを受信することができるスイッチデジタルブロードキャストコンポーネントへの第２のトラフィックインターフェイスとであって、シグナリングインターフェイスは、スイッチデジタルブロードキャストトラフィックに関連する第２のバンド幅インジケータを受信することができ；
ケーブル分配ネットワーク上の送信のためのビデオオンデマンドトラフィックを含む第３のトラフィックデータを受信することができるビデオオンデマンドコンポーネントへの第３のトラフィックインターフェイスとであって、シグナリングインターフェイスは、ビデオオンデマンドトラフィックに関連する第３のバンド幅インジケータを受信することができ；
高速データトラフィック、スイッチデジタルブロードキャストトラフィック、及びビデオオンデマンドトラフィックを受信し、多重化されたトラフィックストリームを創出するトラフィックマルチプレクサとであって、第１のバンド幅インジケータ、第２のバンド幅インジケータ、及び第３のバンド幅インジケータからなるグループの中の１つを受信することに応答して、高速データトラフィック、スイッチデジタルブロードキャストトラフィック、及びビデオオンデマンドトラフィックの中の１つに対して利用可能なバンド幅を更に再割当てするトラフィックマルチプレクサであり、ここで、バンド幅の再割当が、ケーブル分配ネットワークの分配設備上に多重化されたストリームのために利用可能な総バンド幅レベルを考慮することによってバンド幅を再割当てするように更に設定されているトラフィックマルチプレクサと；を含むケーブル分配ネットワークにおける多重化装置。
【請求項２】
第１のトラフィックデータ、第２のトラフィックデータ、及び第３のトラフィックデータからなるグループの中から少なくとも１つを含むバンド幅の再割当を決定するため、トラフィックマルチプレクサによってアクセスされるルールのデータベースを更に含み、
ルールのデータベースは、第１のトラフィックデータ、第２のトラフィックデータ、及び第３のトラフィックデータからなるグループの中から少なくとも１つの最大レベルを示す、請求項１記載の装置。
【請求項３】
ケーブル分配ネットワーク上で、ホストからのサービスのための要求の指示（indication)を受信することができるクライアントアプリケーションインターフェイスの形での第４のインターフェイスを更に含み、
サービスが、高速データ、スイッチデジタルブロードキャスト、及びビデオオンデマンドからなるグループからの１つである、請求項１記載の装置。
【請求項４】
トラフィックマルチプレクサが、要求の指示（indication)の受信に応答して、第１のトラフィックデータ、第２のトラフィックデータ、及び第３のトラフィックデータからなるグループの中の少なくとも１つへバンド幅を更に再割当てする、請求項３記載の装置。
【請求項５】
更に、バッファを含み、該バッファは、多重化されたトラフィックストリームの同期化を容易にするように、第1のトラフィックデータ、第２のトラフィックデータ、又は第３のトラフィックデータの内の少なくとも１つを記憶する、請求項１記載の装置。
【請求項６】
トラフィックマルチプレクサが、更に広告トラフィック及び関連する広告コントロール情報を受信するように設定されており、該トラフィックマルチプレクサは、広告コントロール情報に従って、スイッチデジタルブロードキャスティングデータで、広告トラフィックを多重化するように設定されている、請求項１記載の装置。
【請求項７】
トラフィックマルチプレクサが、第２のトラフィックインターフェイスにおいて受信された第１のフォーマットから、多重化されたトラフィックストリームと関連する第２のフォーマットへスイッチデジタルブロードキャストトラフィックをトランスコードする、請求項１記載の装置。
【請求項８】
バンド幅の再割当の後、トラフィックマルチプレクサが、ケーブル分配ネットワーク上のホストに、多重化されたトラフィックストリーム中の高速データトラフィック、スイッチデジタルブロードキャストトラフィック、及びビデオオンデマンドトラフィックの中の１つにホストがどのようにアクセスできるかについて信号を送るように設定されている、請求項１記載の装置。
【請求項９】
第１のバンド幅レベルに関連したトラフィックマルチプレクサでスイッチブロードキャストトラフィックを受信するステップと；
第２のバンド幅レベルに関連したトラフィックマルチプレクサでの高速データトラフィックを受信するステップと；
第３のバンド幅レベルに関連したトラフィックマルチプレクサでのビデオオンデマンドトラフィックを受信するステップと；
ケーブル分配ネットワーク上の送信のために多重化されたトラフィックを形成するために、トラフィックマルチプレクサでのスイッチデジタルブロードキャストトラフィック、高速データトラフィック、及びビデオオンデマンドトラフィックを多重化するステップと；
スイッチデジタルブロードキャストトラフィック、高速データトラフィック、及びビデオオンデマンドトラフィックからなるグループの中の１つから関連したバンド幅において要求される増加の指示（indication)をトラフィックマルチプレクサにおいて受信するステップと；
バンド幅における増加とそれぞれに関連した第１のバンド幅レベル、第２のバンド幅レベル、及び第３のバンド幅レベルに関連する、バンド幅レベルの中の少なくとも１つを再割当てするステップと；
第２の多重化されたトラフィックストリームを形成するために、少なくとも１つの再割当てされたバンド幅レベルに従って、トラフィックマルチプレクサにおいて、スイッチデジタルブロードキャストトラフィック、高速データトラフィック、及びビデオオンデマンドトラフィックを多重化するステップと；
を含む、ケーブル分配システムにおけるトラフィックマルチプレクサでのトラフィックを多重化する方法。
【請求項１０】
トラフィックマルチプレクサが、高速データのために、一日の時間に基づいてバンド幅の最低閾値レベルを割当てるように設定されている、請求項９記載の方法。
【請求項１１】
トラフィックマルチプレクサが、ケーブルネットワークに付けられるホストからのシグナリング要求を解析することに基づいている、バンド幅における要求される増加の指示（indication)を受信する、請求項９記載の方法。
【請求項１２】
第１のバンド幅レベル、第２のバンド幅レベル、及び第３のバンド幅レベルからなるグループの中の１つへの、バンド幅における提案された増加が、定義された最大限のバンド幅レベルを超過するかどうかを決定するために、ルールデータベースにアクセスするトラフィックマルチプレクサのステップを更に含む、請求項９記載の方法。
【請求項１３】
高速データトラフィック、スイッチデジタルブロードキャストトラフィック、及びビデオオンデマンドトラフィックの中の１つに対するバンド幅の再割当の指示（indication)を提供するために、ケーブル分配ネットワーク上の複数のホストへ信号伝達情報を送信するトラフィックマルチプレクサのステップ；
を更に含む、請求項９記載の方法。
【請求項１４】
バンド幅における要求される増加の指示（indication)をトラフィックマルチプレクサにおいて受信することに応答して、トラフィックマルチプレクサにおけるメモリ中に保持されるバンド幅割当テーブルを更新するステップ；
を更に含む、請求項９記載の方法。
【請求項１５】
トラフィックマルチプレクサで受信されるスイッチブローキャストトラフィックに対する第１のバンド幅割当をメモリ中に記憶するステップと；
トラフィックマルチプレクサにおいて受信される高速データトラフィックに対する第２のバンド幅割当をメモリ中に記憶するステップと；
トラフィックマルチプレクサにおいて受信されるビデオオンデマンドトラフィックに対する第３のバンド幅割当をメモリ中に記憶するステップと；
スイッチブロードキャストトラフィック、高速データトラフィック、及びビデオオンデマンドトラフィックからなるグループの中の１つから関連したバンド幅における要求される増加の指示（indication)を受信するステップと；
バンド幅における増加にそれぞれに関連した第１のバンド幅レベル、第２のバンド幅レベル、及び第３のバンド幅レベルに関連するバンド幅レベルの中の少なくとも１つを再割当てするステップと；
多重化されたトラフィックストリームを形成するために、再割当てされたバンド幅レベルに従って、トラフィックで、スイッチデジタルブロードキャストトラフィック、高速データトラフィック、及びビデオオンデマンドトラフィックを多重化するステップと；
を実施するマルチプレクサをコントロールするプロセッサにおいて、実行のためのソフトウェアを含むコンピュータ読み取り可能な媒体。
【請求項１６】
バンド幅における要求される増加の指示（indication)をトラフィックマルチプレクサにおいて受信することに応答して、再割当てされたバンド幅に基づいてメモリ中のバンド幅割当テーブルを更新するステップ；
を更に含む、請求項１５記載のコンピュータ実行可能なソフトウェア。
【請求項１７】
トラフィックにおける、高速データトラフィック、スイッチデジタルブロードキャストトラフィック、及びビデオオンデマンドトラフィックの中の１つを含むトラフィックタイプに対してバンド幅を再割当てすることについて限界を決定するためにルールデータベースにアクセスするステップ；
を更に含む、請求項１５記載のコンピュータ実行可能なソフトウェア。
【請求項１８】
多重化されたトラフィックストリームにおける１つのタイプのトラフィックに対するバンド幅の再割当の指示（indication)を提供するために、ネットワーク上の少なくとも１つのホストへの送信のためのシグナリング情報を発生するステップ；
を更に含む、請求項１５記載のコンピュータ実行可能なソフトウェア。